(57)【特許請求の範囲】
【請求項１】
支柱に棚板又は引き出しのような収納部を受ける受け材を連結する収納棚であって、支柱の外側面に支柱の高さ方向にスライド溝を形成し、スライド溝の奥部にスライド溝と連通してスライド溝の溝巾よりも巾が広い凹所を形成し、凹所の奥壁に支柱の高さ方向に間隔を隔てて位置決め凹部を形成し、受け材の端部にスライド溝の溝巾よりも狭いスライド部材を設け、スライド部材にスライド溝の溝巾よりも広いがスライド溝に沿うように回転することでスライド溝内に挿入することができる膨大部を形成し、支柱に受け材を連結したときに膨大部よりも下方になる位置に位置決め凹部に係入できる位置決め凸部を受け材の端部に設けて成ることを特徴とする収納棚。
【請求項２】
取付け壁に横桟を取付け、膨大部とは反対側の受け材の端部に横桟にスライド自在に係合するスライド係合片を設けて成ることを特徴とする請求項１記載の収納棚。
【発明の詳細な説明】
【０００１】
【発明の属する技術分野】
本発明は、収納棚に関し、詳しくは、支柱に棚又は引き出しのような収納部を受ける受け材を連結する収納棚に関し、更に詳しくは、支柱に受け材を任意の高さに取付けながら、このように構成する場合の支柱の外観を高めるとともに受け材の支持強度を高めようとする技術に係るものである。
【０００２】
【従来の技術】
従来、支柱１ａに棚板又は引き出しのような収納部２ａを受ける受け材３ａを連結する収納棚Ａａにあっては、図１１に示すように、受け材３ａの端部にＬ字状のフック片８ａを形成し、支柱１ａに係止孔７ａを多数形成し、フック片８ａを選択した高さの係止孔７ａに係止することで、受け材３ａを所望の高さに位置決めして取付けるものである。
【０００３】
【発明が解決しようとする課題】
ところで、このような構成においては、支柱１ａの外側面に多数の係止孔７ａ…が現れるのであり、外観が大きく低下するともに受け材３ａの支持強度を高め難い等という問題があった。
【０００４】
本発明はこのような問題に鑑みてなされたものであり、支柱に受け材を任意の高さに取付けながら、このように構成する場合の支柱の外観を高めることができる収納棚を提供することを課題とするものである。
【０００５】
【課題を解決するための手段】
請求項１においては、支柱１に棚板又は引き出しのような収納部２を受ける受け材３を連結する収納棚であって、支柱１の外側面に支柱１の高さ方向にスライド溝４を形成し、スライド溝４の奥部にスライド溝４と連通してスライド溝４の溝巾よりも巾が広い凹所５を形成し、凹所５の奥壁６に支柱１の高さ方向に間隔を隔てて位置決め凹部７…を形成し、受け材３の端部にスライド溝４の溝巾よりも狭いスライド部材１０を設け、スライド部材１０にスライド溝４の溝巾よりも広いがスライド溝４に沿うように回転することでスライド溝４内に挿入することができる膨大部８を形成し、支柱１に受け材３を連結したときに膨大部８よりも下方になる位置に位置決め凹部７に係入できる位置決め凸部９を受け材３の端部に設けていることを特徴とするものである。
【０００６】
このような構成によれば、受け材３側の膨大部８を受け材３とともにスライド溝４に対して回転して挿入して抜止めを図るのであり、スライド溝４においてスライド部材１０を、凹所５において膨大部８をスライドさせ、位置決め凸部９を支柱１の位置決め凹部７に係入することで、受け材３の高さを任意に設定でき、それでいて、支柱１にはスライド溝４が全長に形成されていることから、従来のように、係止孔を点在させる形態のものに比べて外観を高めることができ、又、位置決め凸部９を位置決め凹部７に係入して膨大部８によりスライド溝４からの抜止めを図ることから、受け材３ａの支持強度を高めることができる。
【０００７】
更に、請求項１においては、支柱１に受け材３を連結したときに膨大部８よりも下方になる位置に位置決め凹部７に係入できる位置決め凸部９を受け材３の端部に設けていることを特徴とするものである。このような構成によれば、受け材３に荷重がかかる場合に、位置決め凸部９が位置決め凹部７に係入する点を中心として受け材３の先端部が下方に回転する方向に回転モーメントがかかるのであるが、このような回転モーメントを膨大部８がスライド溝４を形成している溝片１４の裏面に当接することで、充分に受けることができ、棚板や引き出しのような収納部２の荷重を充分に受けることができ、一層、支持強度を高めることができるという利点がある。
【０００９】
請求項２においては、取付け壁１１に横桟１２を取付け、膨大部８とは反対側の受け材３の端部に横桟１２にスライド自在に係合するスライド係合片１３を設けていることを特徴とするものである。このような構成によれば、一端部を支柱１に固定した受け材３を横桟１２に対してスライド係合片１３においてスライドさせることができ、受け材３の水平横方向の位置の選択を任意におこなうことができる。
【００１０】
【発明の実施の形態】
以下、本発明の実施の形態を説明する。図１（ａ）は分解斜視図である。図２（ａ）は同上の平断面図、同図（ｂ）は縦断面図である。図３（ａ）（ｂ）（ｃ）は支柱に受け材を取付ける作用を示す説明図である。
【００１１】
収納棚Ａは、支柱１に受け材３を連結し、受け材３に棚板１５又は引き出しのような収納部２を受けるものであって、支柱１に受け材２を任意の高さに取付けながら、このように構成する場合の支柱１の外観を高めるものである。以下、詳述する。
【００１２】
図１に示すように、支柱１は角形中空の例えば押出成形品であり、両側部に断面略Ｃ字状部を形成している。つまり、支柱１の外側面部に溝片１４、１４を形成して支柱１の高さ方向の全長にわたってスライド溝４を形成している。スライド溝４の奥部にスライド溝４と連通してスライド溝４の溝巾よりも巾が広い凹所５が形成されている。凹所５の奥壁６に支柱１の高さ方向に間隔を隔てて位置決め凹部７…を例えば機械加工にて穿孔して形成している。
【００１３】
受け材３の端部にスライド溝４の溝巾よりも狭いスライド部材１０を突出している。スライド部材１０の先端部にスライド溝４よりも小径の丸ピン状の膨大部８を横向きに取付けている。スライド部材１０と膨大部８とは略Ｔ字状になっている。このように、スライド部材１０にスライド溝４の溝巾よりも広いが回転することでスライド溝４内にスライド自在に挿入することができる膨大部８を形成している。受け材３の端部には、膨大部８とは別に位置決め凹部７に係入できる位置決め凸部９を設けている。
【００１４】
しかして、図３（ａ）乃至（ｃ）に示すように、受け材３を横向きにして膨大部８をスライド溝４に対して回転して挿入し、その後、受け材３を縦向きに略９０°回転させて抜止めを図るのであり、スライド溝４においてスライド部材１０を、凹所５において膨大部８をスライドさせ、位置決め凸部９を支柱１の所定の位置決め凹部７に係入することで、受け材３の高さを任意に設定でき、それでいて、支柱１にはスライド溝４が全長に形成されていることから、外観を高めることができ、又、位置決め凸部９の下部に凸部９ａを形成して抜止めを図るとよい。
【００１５】
この場合、膨大部８よりも下方に位置決め凸部９を形成していることから、受け材３に荷重がかかる場合に、位置決め凸部９が位置決め凹部７に係入する点を中心として受け材３の先端部が下方に回転する方向に回転モーメントがかかるのであるが、このような回転モーメントを膨大部８がスライド溝４を形成している溝片１４、１４の裏面に当接することで、充分に受けることができ、棚板１５や引き出しのような収納部２の荷重を充分に受けることができるものである。ところで、膨大部８とスライド部材１０とは略Ｌ字状に連結する形態であってもよく、又、スライド溝４を形成する溝片１４は、スライド溝４の片側にのみにあってもよいものである。
【００１６】
支柱１の下端部にはアジャスター１６を取付けている。又、家屋の壁のような取付け壁１１に取付けられる受け材３の端部には、図４に示すように、フック状のスライド係合片１３を設けている。
【００１７】
しかして、図５に示すように、支柱１の両側部に受け材３、３を取付け、取付け壁１１内の間柱１７、１７にわたってリップ付きチャンネル状の横桟１２を取付け、横桟１２にスライド係合片１３をスライド自在に係合し、所望の位置において高さ調整をおこなったアジャスター１６を床１８にビスにて固定するものである。図６（ａ）（ｂ）及び図７（ａ）は取付け壁１１に収納棚Ａを形成するものであり、図７（ｂ）は間仕切り収納体１９の背面を取付け壁１１として支柱１を取付け、支柱１に受け材３を支持し、受け材３に棚板１５を支持して収納棚Ａとしたものである。
【００１８】
図８は参考例を示し、但し、本参考例の基本構成は上記実施の形態と共通であり、共通する部分には同一の符号を付して説明は省略する。
【００１９】
本参考例においては、膨大部８に位置決め凸部９を突出したものである。
【００２０】
本参考例においては、膨大部８に位置決め凸部９を形成することから、構成を簡素化することができ、又、図９に示すように、受け材３の支柱１への取付けも容易になる。
【００２１】
【発明の効果】
請求項１においては、支柱に棚板又は引き出しのような収納部を受ける受け材を連結する収納棚であって、支柱の外側面に支柱の高さ方向にスライド溝を形成し、スライド溝の奥部にスライド溝と連通してスライド溝の溝巾よりも巾が広い凹所を形成し、凹所の奥壁に支柱の高さ方向に間隔を隔てて位置決め凹部を形成し、受け材の端部にスライド溝の溝巾よりも狭いスライド部材を設け、スライド部材にスライド溝の溝巾よりも広いがスライド溝に沿うように回転することでスライド溝内にスライド自在に挿入することができる膨大部を形成し、支柱に受け材を連結したときに膨大部よりも下方になる位置に位置決め凹部に係入できる位置決め凸部を受け材の端部に設けているから、受け材側の膨大部を受け材とともにスライド溝に対して回転して挿入して抜止めを図るのであり、スライド溝においてスライド部材を、凹所において膨大部をスライドさせ、位置決め凸部を支柱の位置決め凹部に係入することで、受け材の高さを任意に設定でき、それでいて、支柱にはスライド溝が全長に形成されていることから、従来のように、係止孔を点在させる形態のものに比べて外観を高めることができ、又、位置決め凸部を位置決め凹部に係入して膨大部によりスライド溝からの抜止めを図ることから、受け材の支持強度を高めやすいという利点がある。
【００２２】
更に、請求項１においては、支柱に受け材を連結したときに膨大部よりも下方になる位置に位置決め凹部に係入できる位置決め凸部を受け材の端部に設けているから、受け材に荷重がかかる場合に、位置決め凸部が位置決め凹部に係入する点を中心として受け材の先端部が下方に回転する方向に回転モーメントがかかるのであるが、このような回転モーメントを膨大部がスライド溝を形成している溝片の裏面に当接することで、充分に受けることができ、棚板や引き出しのような収納部の荷重を充分に受けることができ、一層、支持強度を高めることができるという利点がある。
【００２４】
請求項２においては、請求項１の構成に加えて、取付け壁に横桟を取付け、膨大部とは反対側の受け材の端部に横桟にスライド自在に係合するスライド係合片を設けているから、請求項１の効果に加えて、一端部を支柱に固定した受け材を横桟に対してスライド係合片においてスライドさせることができ、受け材の水平横方向の位置の選択を任意におこなうことができるという利点がある。
【図面の簡単な説明】
【図１】本発明の実施の一形態を示す分解斜視図である。
【図２】（ａ）は同上の平断面図、（ｂ）は縦断面図である。
【図３】（ａ）（ｂ）（ｃ）は支柱に受け材を取付ける作用を示す説明図である。
【図４】同上の取付け壁との取付けを示す概略断面図である。
【図５】（ａ）（ｂ）（ｃ）は同上の施工手順を示す説明図である。
【図６】（ａ）（ｂ）は斜視図である。
【図７】同上の施工例を示し、（ａ）（ｂ）は斜視図である。
【図８】  同上の参考例を示す分解斜視図である。
【図９】（ａ）は同上の平断面図、（ｂ）は縦断面図である。
【図１０】（ａ）（ｂ）は支柱に受け材を取付ける作用を示す説明図である。
【図１１】従来例の斜視図である。
【符号の説明】
１  支柱
２  収納部
３  受け材
４  スライド溝
５  凹所
６  奥壁
７  位置決め凹部
８  膨大部
９  位置決め凸部
１０  スライド部材
１１  取付け壁
１２  横桟
１３  スライド係合片
【図１】
0003690263.tif 000002
【図２】
0003690263.tif 000003
【図３】
0003690263.tif 000004
【図４】
0003690263.tif 000005
【図５】
0003690263.tif 000006
【図６】
0003690263.tif 000007
【図７】
0003690263.tif 000008
【図８】
0003690263.tif 000009
【図９】
0003690263.tif 000010
【図１０】
0003690263.tif 000011
【図１１】
0003690263.tif 000012